【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】
動画データをファイル形式で記憶手段に格納して管理するファイル管理装置において、
ユーザが削除処理を選択指示することにより、上記記憶手段からファイルリストを読み出して表示し、該ファイルリストの中からユーザの指示に基づいて削除対象ファイルを特定するファイル特定手段と、
上記ファイル特定手段によって特定された上記削除対象ファイルの内容を所定の画面モードで表示する削除内容確認手段と、
ユーザの削除指示に基づいて、上記削除対象ファイルの内容を削除する削除実行手段とを備えたことを特徴とするファイル管理装置。
【請求項２】
上記削除内容確認手段によって上記削除対象ファイルの内容が所定の画面モードで表示された後において、該削除対象ファイルの削除を中止する削除中止手段を備えた請求項１に記載のファイル管理装置。
【請求項３】
上記所定の画面モードは、上記削除対象ファイルの動画データの最初のフレームが表示されるモードである請求項１または請求項２に記載のファイル管理装置。
【請求項４】
上記所定の画面モードは、上記削除対象ファイルの動画データの最初と最後のフレームが表示されるモードである請求項１または請求項２に記載のファイル管理装置。
【請求項５】
上記所定の画面モードは、上記削除対象ファイルの動画データの各フレーム中で所定の等時間間隔に存在するフレームが表示されるモードである請求項１または請求項２に記載のファイル管理装置。
【請求項６】
上記所定の画面モードは、上記削除対象ファイルの動画データの各フレーム中で直前フレームと比較して濃度の変化が大きいフレームから順に所定数選択されたフレームが表示されるモードである請求項１または請求項２に記載のファイル管理装置。
【請求項７】
上記所定の画面モードは、上記削除対象ファイルの動画データの先頭からの時間を指定することによって、全フレームを視認することができるモードである請求項１または請求項２に記載のファイル管理装置。
【請求項８】
上記所定の画面モードは、上記削除対象ファイルの動画データの各フレーム中でユーザによりあらかじめ選択されたフレームが表示されるモードである請求項１または請求項２に記載のファイル管理装置。
【請求項９】
動画データをファイル形式で記憶手段に格納して管理するファイル管理方法において、
ユーザが削除処理を選択指示することにより、上記記憶手段からファイルリストを読み出して表示し、該ファイルリストの中からユーザの指示に基づいて削除対象ファイルを特定するファイル特定ステップと、
上記ファイル特定ステップによって特定された上記削除対象ファイルの内容を所定の画面モードで表示する削除内容確認ステップと、
ユーザの削除指示に基づいて、上記削除対象ファイルの内容を削除する削除実行ステップとを備えたことを特徴とするファイル管理方法。
【請求項１０】
上記削除対象ファイルの内容を上記記憶手段から読み出して表示した後において、削除処理を中止する請求項９に記載のファイル管理方法。
【手続補正２】
【補正対象書類名】明細書
【補正対象項目名】０００１
【補正方法】変更
【補正の内容】
【０００１】
【発明の属する技術分野】
本発明は、ファイル管理装置及びその方法に関し、特に、ファイル内に保存してある動画データを削除するファイル管理装置及びその方法に関するものである。
【手続補正３】
【補正対象書類名】明細書
【補正対象項目名】０００９
【補正方法】変更
【補正の内容】
【０００９】
本発明は上記の事情に鑑みて提案されたものであって、動画データのファイル削除時に本来削除を行いたいファイル以外の別のファイルを誤って削除することを防止できるファイル管理装置及びその方法を提供することを目的とする。
【手続補正４】
【補正対象書類名】明細書
【補正対象項目名】００１０
【補正方法】変更
【補正の内容】
【００１０】
【課題を解決するための手段】
本発明は上記目的を達成するために以下の手段を採用している。すなわち、動画データをファイル形式で記憶手段に格納して管理するファイル管理方法において、上記記憶手段に記憶された削除対象ファイルの内容を、該記憶手段から読み出し表示して、該削除対象ファイルの内容の削除を指示するという手段を採用している。また、上記削除対象ファイルの内容を上記記憶手段から読み出して表示した後において、削除処理を中止することができる。
【手続補正５】
【補正対象書類名】明細書
【補正対象項目名】００１３
【補正方法】変更
【補正の内容】
【００１３】
更に、上記削除内容確認手段４は、上記削除対象ファイルの内容を所定の画面モードで表示することができる。この所定の画面モードは、上記削除対象ファイルの動画データの最初のフレームが表示されるモード、上記削除対象ファイルの動画データの最初と最後のフレームが表示されるモード、上記削除対象ファイルの動画データの各フレーム中で所定の等時間間隔に存在するフレームが表示されるモード、上記削除対象ファイルの動画データの各フレーム中で直前フレームと比較して濃度の変化が大きいフレームから順に所定数選択されたフレームが表示されるモード、上記削除対象ファイルの動画データの先頭からの時間を指定することによって、全フレームを視認することができるモード、上記削除対象ファイルの動画データの各フレーム中でユーザによりあらかじめ選択されたフレームが表示されるモードの各モードの選択が可能である。
【手続補正６】
【補正対象書類名】明細書
【補正対象項目名】００３６
【補正方法】変更
【補正の内容】
【００３６】
なお、本発明をパソコンに適用した場合には、ユーザが記憶手段に格納されたテキストデータの削除を行うこともできる。この場合の処理について、以下図に基づいて説明する。
【手続補正７】
【補正対象書類名】明細書
【補正対象項目名】００４４
【補正方法】変更
【補正の内容】
【００４４】
また、本発明をパソコンに適用した場合、ユーザが記憶手段に格納された静止画データの削除を行うこともできる。この場合の処理について、以下図に基づいて説明する。
【手続補正８】
【補正対象書類名】明細書
【補正対象項目名】００５０
【補正方法】変更
【補正の内容】
【００５０】
尚、上記実施の形態では、パソコンが単体で動作する場合について説明を行ったが、上記記憶手段に複数のパソコンをネットワークにより接続した場合でも上記同様に実施することができる。
【手続補正９】
【補正対象書類名】明細書
【補正対象項目名】００５１
【補正方法】変更
【補正の内容】
【００５１】
以上のように本発明によれば、上記記憶手段に格納された動画データのファイルの削除処理を行う場合において、上記削除対象ファイルを指定した後に表示される確認画面にファイル内容が表示されるため、ユーザはファイルの内容を確認した上で削除を行うことができ、本来削除すべきファイルと違ったファイルを誤って削除することがなくなるという効果がある。
【手続補正１０】
【補正対象書類名】明細書
【補正対象項目名】００５２
【補正方法】変更
【補正の内容】
【００５２】
また、上記確認画面にファイル内容を表示する画面モードとして、最初のフレーム表示、最初と最後のフレーム表示、等時間間隔のフレーム表示、フレーム間変化率に基づいて選択されたフレーム表示、時間軸スクロールバーによる全フレーム表示、ユーザの選択による任意のフレームを表示、の各画面モードの内からユーザがあらかじめ選択できるので、ユーザがファイルを削除する際、ファイル内容がより分かり易く表示されてこのファイル内容を確認して削除を行うことができ、上記した効果よりも更に有利な効果が得られる。
【手続補正１１】
【補正対象書類名】明細書
【補正対象項目名】図面の簡単な説明
【補正方法】変更
【補正の内容】
【図面の簡単な説明】
【図１】
本発明の一実施の形態の構成を示す機能ブロック図である。
【図２】
本発明の一実施の形態におけるファイルの削除処理時の動作手順を示すフロー図である。
【図３】
本発明の一実施の形態における確認画面の一例を示す画面構成図である。
【図４】
本発明の一実施の形態における確認画面の一例を示す画面構成図である。
【図５】
本発明の一実施の形態における確認画面の一例を示す画面構成図である。
【図６】
本発明の一実施の形態における確認画面の一例を示す画面構成図である。
【図７】
本発明の一実施の形態における確認画面の一例を示す画面構成図である。
【図８】
本発明の一実施の形態における確認画面の一例を示す画面構成図である。
【図９】
テキストデータのファイルの削除処理時の動作手順を示すフロー図である。
【図１０】
テキストデータのファイル削除時の確認画面の一例を示す画面構成図である。
【図１１】
静止画データのファイルの削除処理時の動作手順を示すフロー図である。
【図１２】
静止画データのファイル削除時の確認画面の一例を示す画面構成図である。
【図１３】
従来例の構成を示す機能ブロック図である。
【図１４】
従来例における確認画面を示す画面構成図である。
【符号の説明】
１  操作手段
２  ファイル特定手段
３  記憶手段
４  削除内容確認手段
５  削除実行手段
６  削除中止手段